(57)【要約】【課題】復水器細管洗浄装置のボール捕集器のスクリーン本体の開度を運転員に正確に報知することである。【解決手段】復水器細管を洗浄する洗浄用ボールをスクリーンで捕集するボール捕集器１６のスクリーン軸端部に、ボール捕集器のスクリーン本体の開度を検出する開度検出器２８を設け、開度検出器２８で検出されたスクリーン本体の開度を表示装置３２に表示する。これにより、スクリーン本体の開度を運転員に正確に報知する。【選択図】  図１
2009052822.tif 000002
【特許請求の範囲】
【請求項１】
復水器細管を洗浄する洗浄用ボールをスクリーンで捕集するボール捕集器の前記スクリーン軸端部に設けられ前記スクリーンの開閉動作状態に伴って変化するスクリーン本体の開度を検出する開度検出器と、前記開度検出器で検出された開度を表示する表示装置とを備えたことを特徴とする復水器細管洗浄監視装置。
【発明の詳細な説明】
【技術分野】
【０００１】
本発明は、復水器細管を洗浄する復水器細管洗浄装置における洗浄用ボールを捕集するボール捕集器を監視する復水器細管洗浄監視装置に関する。
【背景技術】
【０００２】
火力発電プラントや原子力発電プラントにおいては、タービンで仕事を終えた蒸気を復水器で水に戻し、再び蒸気発生器であるボイラや原子炉に水を供給するようにしている。通常、復水器は海水を用いて蒸気を冷却するようになっており、海水は復水器の伝熱管（細管）に供給され蒸気と熱交換されるようになっている。
【０００３】
このように、復水器細管には海水が通過するので水垢や海水生成物が細管内壁に付着する。そこで、発電プラントの通常運転中に復水器細管に洗浄用ボールを投入し、この洗浄用ボールにより復水器細管を洗浄するようにしている。
【０００４】
図２は復水器細管洗浄装置を復水器に適用した場合の構成図である。冷却水である海水は取水口より冷却水母管１１に取り込まれ、復水器１２の復水器細管１３を通り排水口から海に戻される。復水器細管洗浄装置１０は、この冷却水母管１１に洗浄用ボール１４を投入し復水器細管１３を洗浄するものであり、復水器細管洗浄装置１０は、ボール回収器１５と、ボール捕集器１６と、ボール循環ポンプ１７とから構成される。
【０００５】
復水器細管１３の洗浄運転のときは、洗浄用ボール１４はボール回収器１５から冷却水母管１１に投入され、冷却水である海水の流れに沿って復水器細管１３を通り、ボール捕集器１６で捕集される。ボール捕集器１６で捕集されたボールは、冷却水母管１１を流れる海水の一部とともにボール循環ポンプ１７によりボール回収器１５に回収され、再びボール回収器１５から冷却水母管１１に投入され復水器細管１３を循環する。
【０００６】
図３はボール捕集器１６での洗浄用ボール１４の捕集の仕方の説明図であり、図３（ａ）は洗浄用ボール１４で復水器細管１３を洗浄していないときのボール捕集器１６の説明図、図３（ｂ）は洗浄用ボール１４で復水器配管１３を洗浄しているときのボール捕集器１６の説明図である。
【０００７】
ボール捕集器１６は洗浄用ボール１４を捕集するための複数のスクリーン２２を有し、各々のスクリーン２２はスクリーン本体２３がスクリーン軸２４に取り付けられ、スクリーン軸２４を中心に回動するようになっている。また、スクリーン本体２３には、海水を通水できるように洗浄用ボールより小さいスリットが設けられている。洗浄用ボール１４で復水器配管１３を洗浄していないときは、洗浄用ボール１４が循環していないので、図３（ａ）に示すように、スクリーン２２は開いた状態とし海水の流れにほぼ平行に保ち、海水を下流に流れやすい状態としている。
【０００８】
一方、洗浄用ボール１４で復水器配管１３を洗浄しているときは、洗浄用ボール１４が循環しているので、図３（ｂ）に示すように、スクリーン２２は閉じた状態とする。この場合、海水はスクリーン本体２３のスリットを通り下流の排水口に流れるが、洗浄用ボール１４はスクリーン２２で捕集され、ボール回収口２５に導かれ、冷却水母管１１を流れる海水の一部とともにボール循環ポンプ１７によりボール回収器１５に回収される。図３では４個のスクリーン２２を設け、スクリーン２２を閉じたときにＷ型となるものを示したが、図４に示すように、２個のスクリーン２２を設け、スクリーンを閉じたときにＶ型となるものもある。
【０００９】
ここで、復水器細管洗浄装置として、ボールを案内させる案内網を放水路における循環水の流れの下流方向に傾斜させてかつ上部を水面より出した状態で設置し、如何なる場合においても、海や河川にボールを流出させずにボールを回収して環境保全を図ると共に、リサイクルに寄与して経済性を高めるようにしたものがある（例えば、特許文献１参照）。
【特許文献１】特開平１０−１９７１９５号公報
【発明の開示】
【発明が解決しようとする課題】
【００１０】
しかし、復水器細管洗浄装置に流入してきた異物がボール捕集器１６に堆積し、スクリーン２２の開閉動作を繰り返し行った場合には、スリップ機構が働きスクリーン２２を閉動作させた場合であっても洗浄用ボール１４が回収不能となることがある。図５、６に示すように、例えば、スクリーン２２の閉動作時に異物２６がスクリーン本体２３間に挟まった場合に、スクリーン２２を閉じる際、スクリーンのゆがみや破損をふさぐために設けられたスリップ機構が働き、スクリーン本体２３とスクリーン軸２４との間に相対角が生じる。その相対角が生じた結果として、スクリーン本体２３とスクリーン軸２４との相対角が保たれたままの状態となるので、次の動作の際に、スクリーン２２を閉動作完了させた状態であっても、スクリーン本体２３間の捕集位置に隙間ができる。その隙間が洗浄用ボール１４の大きさより大きい場合には洗浄用ボール１４が回収不能となり、洗浄用ボール１４は海に流出してしまう。
【００１１】
現状では、定期的にボール捕集器１６のスクリーン２２の位置をボール捕集器１６に備えられた確認用窓より目視で確認しており、スクリーン本体２３とスクリーン軸２４との間に相対角が生じた場合には、手動にて、スクリーン本体２３とスクリーン軸２４との間の相対角を調整し、スクリーン本体２３の位置を回収位置に戻すようにしている。
【００１２】
しかし、スクリーン２２は汚れやすく見にくく、スクリーン２２間の隙間の定量的確認が困難であり、正確にスクリーン２２の位置の確認ができない状態にある。この結果、スクリーン２２が完全に閉じていない状態となる場合があり、洗浄用ボール１４を海に流出させてしまう。そして、洗浄用ボール１４の流出量が多く、確認用窓からの目視による相対角の調整が困難な場合、発電用プラントの出力を低下させ、当該復水器細管洗浄装置を停止し調整を行う等の措置を講ずる必要がある。また、特許文献１のように、ボールを案内させる案内網を放水路に設置すれば洗浄用ボール１４を海に流出させることはないが、案内網を追加して設置しなければならない。
【００１３】
本発明の目的は、復水器細管洗浄装置のボール捕集器のスクリーン本体の開度を運転員に正確に報知できる復水器細管洗浄監視装置を得ることである。
【課題を解決するための手段】
【００１４】
請求項１の発明に係わる復水器細管洗浄監視装置は、復水器細管を洗浄する洗浄用ボールをスクリーンで捕集するボール捕集器の前記スクリーン軸端部に設けられ前記スクリーンの開閉動作状態に伴って変化するスクリーン本体の開度を検出する開度検出器と、前記開度検出器で検出された開度を表示する表示装置とを備えたことを特徴とする。
【発明の効果】
【００１５】
本発明によれば、スクリーン軸端部に開度検出器を取り付けてスクリーン本体の開度を検出し表示するので運転員はスクリーン本体の開度を定量的に容易に把握できる。さらに、スクリーンの軸端部は海水に接触しないので開度検出器の故障の頻度を低く抑制できる。また、発電プラントの運転中においても、スクリーン本体の開度を確認及び調整等ができる。この結果、スクリーン本体とスクリーン軸との相対角の調整のために、発電用プラントの出力を低下させ、当該復水器細管洗浄装置を停止することを回避することができる。
【発明を実施するための最良の形態】
【００１６】
図１は本発明の実施の形態に係わる復水器細管洗浄監視装置の構成図である。ボール捕集器１６の内部は２つの領域に区分され、各々の領域には図３に示すようにそれぞれ４個のスクリーン２２、または図４に示すように２個のスクリーン２２が設けられている。なお、図１ではスクリーン２２の図示を省略している。
【００１７】
ボール捕集器１６の内部は２つの領域を有し、各々の領域ではそれぞれ４個のスクリーン２２を有していることから、ボール捕集器１６は８個のスクリーン２２を有し、各々のスクリーン２２のスクリーン軸２４にはスクリーン２２のスクリーン本体２３を回動させるためのモータ２７が設けられている。そして、スクリーン軸２４には、スクリーン本体２３の開閉動作状態に伴って変化するスクリーン２２の開度を検出する開度検出器２８がそれぞれ設けられている。開度検出器２８はスクリーン軸２４のいずれかの箇所に設けることも可能であるが、スクリーン軸２４の軸端部に直に設ける。スクリーン軸２４の軸端部は海水に接触しない部分であるので、検出器２８が海水と接触することがなく検出器２８の劣化や故障の頻度が低くなるからである。
【００１８】
開度検出器２８は、スクリーン本体２３の開度を検出するものである。スクリーン本体２３の開度の検出は、基準開度からのずれ開度で検出する。スクリーン２２が正常のときは、洗浄運転でスクリーン本体２３は閉まった状態であり非洗浄運転でスクリーン本体２３は全開した状態である。そこで、正常状態での洗浄運転時のスクリーン本体２３の開度、あるいは正常状態での非洗浄運転でのスクリーン本体２３開度を基準開度とし、その基準開度からのずれ開度でスクリーン本体２３の開度を検出する。
【００１９】
例えば、異物２６がスクリーン本体２３間に挟まった場合には、スクリーン本体２３とスクリーン軸２４との相対角が生じるが、その場合にはスクリーン本体２３の開度が基準開度から相対角分だけずれることになるので、開度検出器２８でスクリーン本体２３の開度を監視することによって、洗浄用ボール１４を海に流出させてしまう状態か否かの監視ができることになる。
【００２０】
各々の開度検出器２８で検出されたスクリーン２２の開度は入力部２９を介してデータ処理部３０に入力される。データ処理部３０は入力された各々の検出器２８で検出された検出信号を処理して、出力部３１を介して表示装置３２にスクリーン２２に開度を表示する。これにより、運転員等は、各々のスクリーン２２の開度が一目で認識できるようになり、洗浄用ボール１４を海に流出させてしまう状態か否かの監視ができる。
【００２１】
本発明の実施の形態によれば、海水に接触しないスクリーン軸２４の軸端部に直に開度検出器２８を取り付けるので、開度検出器２８の劣化や故障の頻度が低くなり、またスクリーン本体２３の開度の検知が正確に確認できる。そして、開度検出器２８で検出したスクリーン本体２３の開度を表示装置３２に表示するので、スクリーン本体２３の開度の定量的確認が容易に行える。また、発電プラントのプラント運転中のメンテナンスが可能である。
【図面の簡単な説明】
【００２２】
【図１】本発明の実施の形態に係わる復水器細管洗浄監視装置の構成図。
【図２】復水器細管洗浄装置を復水器に適用した場合の構成図。
【図３】ボール捕集器（Ｗ型）での洗浄用ボールの捕集の仕方の説明図。
【図４】ボール捕集器（Ｖ型）での洗浄用ボールの捕集の仕方の説明図。
【図５】ボール捕集器（Ｖ型）のスクリーン間に異物が挟まった場合の状態を示す説明図。
【図６】ボール捕集器（Ｖ型）のスクリーン間に異物が挟まった場合の状態を示す説明図。
【符号の説明】
【００２３】
１０…復水器細管洗浄装置、１１…冷却水母管、１２…復水器、１３…復水器細管、１４…洗浄用ボール、１５…ボール回収器、１６…ボール捕集器、１７…ボール循環ポンプ、２２…スクリーン、２３…スクリーン本体、２４…スクリーン軸、２５…ボール回収口、２６…異物、２７…モータ、２８…開度検出器、２９…入力部、３０…データ処理部、３１…出力部、３２…表示装置
【図１】
2009052822.tif 000003
【図２】
2009052822.tif 000004
【図３】
2009052822.tif 000005
【図４】
2009052822.tif 000006
【図５】
2009052822.tif 000007
【図６】
2009052822.tif 000008